(57)【要約】【課題】電波の散乱や反射等を含めて、総合的に無線装置の受信アンテナの無線照準をどの方向に定めるかを使用者に知らせることができる無線装置を提供する。【解決手段】受信装置本体１０に対する方向毎の受信方向検出用アンテナ２２ａ〜２２ｄそれぞれの出力に基づいて、ＣＰＵ８０が無線電波の受信方向を判別し、判別した無線電波の受信方向と受信強度とを、方向別状況判定表示装置４０の方向別状況判定表示器４０ａ〜４０ｄに表示制御する。【選択図】  図１
2004156924.tif 000002
【特許請求の範囲】
【請求項１】
装置本体に設けられた受信アンテナにより無線電波を受信する無線装置であって、
装置本体に対する方向毎の受信強度を計測し、無線電波の受信方向を判別する受信方向判別手段と、
該受信方向判別手段にて判別した無線電波の受信方向、又は当該無線電波の受信方向と受信強度とを、光学的表示又は音響報知の少なくともいずれかで指示する指示手段と
を備えていることを特徴とする無線装置。
【請求項２】
前記指示手段は、
装置本体の方向毎に複数の発光体を備え、
前記受信方向判別手段によって判別した無線電波の受信方向に対応する装置本体の方向の発光体を点灯させるとともに、当該無線電波の受信強度に基づいて点灯させる発光体の数又は発光色の少なくともいずれかを変化させる
ことを特徴とする請求項１記載の無線装置。
【請求項３】
前記指示手段は、液晶表示器を備え、該液晶表示器には、前記受信方向判別手段によって判別した無線電波の受信方向を示す表示、又は当該無線電波の受信方向と受信強度とを示す表示が表示される
ことを特徴とする請求項１記載の無線装置。
【請求項４】
前記指示手段は、音源部と、音響出力部とを備え、
装置本体に設けられた受信アンテナの照準を、前記受信方向判別手段によって判別した無線電波の受信方向に向けた場合に、当該無線電波の受信強度に基づいて前記音源部にて音響が生成されて前記音響出力部から出力される
ことを特徴とする請求項１記載の無線装置。
【請求項５】
受信アンテナにより受信した無線電波の受信状態を複数の段階に分類する状態分類手段と、
該状態分類手段によって分類された無線電波の受信状態の段階を報知するための報知手段と
をさらに備えていることを特徴とする請求項１記載の無線装置。
【発明の詳細な説明】
【０００１】
【発明の属する技術分野】
本発明は、無線電波の受信方向表示機能を有する無線装置に関する。
【０００２】
【従来の技術】
従来の無線装置として、例えば特開平３−２９７２３３号公報や特開平７−２７３７２０号公報に開示されているように、受信強度を表示する無線装置が存在する。この種の無線装置の例としては、携帯電話における表示上のアンテナマーク等が存在する。
【０００３】
さらに、特開平７−２７３７２０号公報記載には、無線装置が無線ゾーン外にある場合、走査開始ボタンの操作によって指向性アンテナを機械的に走査し、走査した結果の各方向毎の受信強度に基づいて、無線ゾーンが存在する方向を表示できる無線装置が示されている。
【０００４】
ところが、ＦＷＡ（ｆｉｘｅｄ  ｗｉｒｅｌｅｓｓ  ａｃｃｅｓｓ）、無線ＬＡＮ等無線を使用した無線インターネット端末においては、無線装置が無線ゾーン内にある場合でも、無線電波の受信は微妙な方向調整を必要としている。
【０００５】
【特許文献１】
特開平３−２９７２３３号公報
【特許文献２】
特開平７−２７３７２０号公報
【０００６】
【発明が解決しようとする課題】
しかしながら、上述の発明の無線装置では、機器のアンテナがいずれの方向に無線照準を向けているのかを使用者に知らせる手段を持たない。
特開平７−２７３７２０号公報記載の無線装置にあっても、無線ゾーン外から無線ゾーンが存在する方向の確認については行えるものの、無線ゾーン内において受信電波がいずれの方向から伝達されるかの確認は行えないばかりか、この無線ゾーン確認のための走査を行っている間は、無線装置本体を移動させたり、その向きを変えたりすることができない。しかも、その表示も無線ゾーン外にある無線装置について、現在の場所からの移動を前提とする指示で、無線ゾーン内にある無線装置について、当該無線装置に備えられた受信アンテナを向けるべき無線照準の方向の指示ではなかった。
【０００７】
そのため、アンテナ基地局の位置、電波の散乱や反射等を含めて、総合的に無線装置のアンテナがどの方向に無線照準を定めているかを、使用者に随時知らせるものではなかった。この結果、無線ゾーン内にあっても、無線装置の移動によってアンテナ基地局に対する無線装置の相対的な位置変化、電波の散乱や反射等で、電波の伝達方向が変化したり複数方向ある場合には、その対応がはかれなかった。
【０００８】
本発明は、上述した問題点を鑑みなされたものであって、アンテナ基地局に対する無線装置の相対的な位置変化、電波の散乱や反射等を含めて、総合的に無線装置の受信アンテナの無線照準をどの方向に定めるかを使用者に知らせることができる無線装置を提供することを目的とする。
【０００９】
【課題を解決するための手段】
本発明は、上記課題に鑑みてなされたものであり、本発明の無線装置は、装置本体に設けられた受信アンテナにより無線電波を受信する無線装置であって、
装置本体に対する方向毎の受信強度を計測し、無線電波の受信方向を判別する受信方向判別手段と、該受信方向判別手段にて判別した無線電波の受信方向、又は当該無線電波の受信方向と受信強度とを、光学的表示又は音響報知の少なくともいずれかで指示する指示手段とを備えていることを特徴とする。
【００１０】
また、本発明の無線装置は、その指示手段が、装置本体の方向毎に複数の発光体を備え、前記受信方向判別手段によって判別した無線電波の受信方向に対応する装置本体の方向の発光体を点灯させるとともに、当該無線電波の受信強度に基づいて点灯させる発光体の数又は発光色の少なくともいずれかを変化させることを特徴とする。
【００１１】
また、本発明の無線装置は、その指示手段が、液晶表示器を備え、該液晶表示器には、前記受信方向判別手段によって判別した無線電波の受信方向を示す表示、又は当該無線電波の受信方向と受信強度とを示す表示が表示されることを特徴とする。
【００１２】
また、本発明の無線装置は、その指示手段が、音源部と、音響出力部とを備え、装置本体に設けられた受信アンテナの照準を、前記受信方向判別手段によって判別した無線電波の受信方向に向けた場合に、当該無線電波の受信強度に基づいて前記音源部にて音響が生成されて前記音響出力部から出力されることを特徴とする。
【００１３】
さらに、本発明の無線装置は、受信アンテナにより受信した無線電波の受信状態を複数の段階に分類する状態分類手段と、該状態分類手段によって分類された無線電波の受信状態の段階を報知するための報知手段とをさらに備えていることを特徴とする。
【００１４】
【発明の実施の形態】
以下、添付図面を参照しながら、本発明の無線装置の好適な実施の形態について、本発明を無線インターネット受信装置に適用した場合を例に、詳細に説明する。
【００１５】
図１は、本発明の一実施の形態に係る無線インターネット受信装置の構成図である。
無線インターネット受信装置１は、回路基板等が収納された受信装置本体１０と、受信装置本体１０の上面に立設された柱状のアンテナ部組立体１１とを備えている。
【００１６】
このアンテナ部組立体１１には、図示せぬアンテナ基地局から送信される無線電波を受信するためのアンテナ２０と、無線照準方向表示器３０、方向別状況判定表示装置４０とが、図２に示すように、一体的に設けられている。これに対し、受信装置本体１０，例えばその正面１０ｂには、無線状況表示器５０が備えられている。
【００１７】
図２は、無線インターネット受信装置の受信方向検出用のアンテナと無線照準方向表示器との関係説明図である。
アンテナ部組立体１１のアンテナ２０は、図２に示すように、１本の情報受信用の指向性アンテナ２１と、複数本（例えば、４本）の受信方向検出用の指向性アンテナ２２ａ〜２２ｄとから構成されている。
【００１８】
各受信方向検出用アンテナ２２ａ〜２２ｄは、それぞれ指向方向を水平方向に９０゜ずつ角度を異ならせて、アンテナ部組立体１１に配置されている。
なお、図２において、それぞれ９０゜ずつ方向が異なる矢印Ａ，Ｂ，Ｃ，Ｄは、指向性が水平方向に９０゜ずつ角度が異なる無線信号Ａ，Ｂ，Ｃ，Ｄを表す。
【００１９】
無線照準方向表示器３０は、本実施の形態では、４個の発光表示素子３０ａ〜３０ｄによって構成され、各受信方向検出用アンテナ２２ａ〜２２ｄの指向に対応させて、図１及び図２に示すように、アンテナ部組立体１１に配置されている。
【００２０】
さらに、これら無線照準方向表示器３０を構成する発光表示素子３０ａ〜３０ｄそれぞれに対応させて、図１に示すように、方向別状況判定表示器４０ａ〜４０ｄから構成される方向別状況判定表示装置４０が、アンテナ部組立体１１に設けられている（ただし、図１においては、方向別状況判定表示器４０ｄは、視認方向の裏側となって表れていない）。
【００２１】
方向別状況判定表示装置４０の各方向別状況判定表示器４０ａ〜４０ｄは、各受信方向検出用アンテナ２２ａ〜２２ｄの指向方向に対応させて、アンテナ部組立体１１の周囲に配置されている。
【００２２】
そして、各方向別状況判定表示器４０ａ〜４０ｄは、例えば方向別状況判定表示器４０ａを例に説明すると、本実施の形態では、４個の発光表示素子４０ａ１〜４０ａ４を備え、発光表示素子４０ａ１〜４０ａ４の点灯数、又はいずれの発光表示素子４０ａ１〜４０ａ４が点灯しているか等によって、対応するアンテナ２２ａによって受信した電波の強度を表示できる構成になっている。
【００２３】
無線状況表示器５０は、本実施の形態では、図１に示すように、５個の発光表示素子５０−１〜５０−５を備え、発光表示素子５０−１〜５０−５の点灯数、又はいずれの発光表示素子５０−１〜５０−５が点灯しているか等によって、情報受信用アンテナ２１により受信している電波の受信状態を表示できる構成になっている。
【００２４】
本実施の形態では、情報受信用アンテナ２１が、その指向方向を図２中のＢ方向（前述の受信装置本体１０の正面）に向けて、アンテナ部組立体１１に設けられているものとし、その関係で、無線状況表示器５０は、受信装置本体１０のＢ方向に相対向する面１０ｂ（図１参照）に設けられているものとする。
【００２５】
図３は、本実施の形態の無線インターネット受信装置の受信回路である。
図３に示すように、各受信方向検出用アンテナ２２ａ〜２２ｄの出力は、無線照準方向表示器３０を構成する発光表示素子、例えばＬＥＤ３０ａ〜３０ｄを介して接地されているとともに、インタフェース回路７１を介して、ＣＰＵ８０に供給される構成となっている。
【００２６】
インタフェース回路７１には、受信方向検出用アンテナ２２ａ〜２２ｄそれぞれからの受信信号の大きさをデジタル信号に変換するためのＡ／Ｄ変換回路、各受信方向検出用アンテナ２２ａ〜２２ｄの受信出力を選択的に処理部としてのＣＰＵ８０に供給するためのマルチプレクサ等からなる供給制御回路、等が備えられている。
【００２７】
一方、情報受信アンテナ２１の出力は、ＲＦ回路部７２に供給される。ＲＦ回路部７２では、情報受信アンテナ２１からの受信信号は、適度な信号レベルまで増幅された後、局部発振信号とミキシングされて中間周波数信号（ＲＦ信号）に変換される。そして、例えば、この中間周波数信号を振幅成分を含まないＦＭ（Ｆｒｅｑｕｅｎｃｙ  Ｍｏｄｕｌａｔｉｏｎ）信号に変換してＦＭ検波し、送信前のデジタル信号に復調される。このＲＦ回路部７２で復調された送信前のデジタル信号は、図示省略した後段の受信回路にて、復号処理や、各種プロトコルに従った情報毎の情報受信処理が行われる。
【００２８】
その際、ＲＦ回路部７２の内部には、情報受信アンテナ２１からの受信入力レベルが変わっても出力レベルがほぼ一定のレベルになるように振幅を制限するリミッタアンプが備えられている。ＲＦ回路部７２からは、このリミッタアンプのリミッタ電流の大きさに比例したデジタル信号が、ＣＰＵ８０に出力される構成になっている。このリミッタ電流の大きさは、リミッタアンプの回路的な性質により、受信強度（受信電波の強さ）に比例する。
【００２９】
ＣＰＵ８０には、このＲＦ回路部７２から出力される受信強度（受信電波の強さ）に比例した信号出力と、前述した各受信方向検出用アンテナ２２ａ〜２２ｄの出力とが供給される。
ＣＰＵ８０は、これら入力に基づき、方向別状況判定表示装置４０及び無線状況表示器５０を表示制御する（なお、図３においては、方向別状況判定表示器４０ａのみを詳細に図示し、方向別状況判定表示器４０ｂ〜４０ｄ及び無線状況表示器５０については方向別状況判定表示器４０ａと同様な詳細な図示を省略してある）。
【００３０】
まず、ＣＰＵ８０は、ＲＦ回路部７２から出力される受信強度（受信電波の強さ）に比例した信号出力の入力により、その大きさに対応した数だけ、無線状況表示器５０の発光表示素子５０−１〜５０−５を表示する。図１では、ＲＦ回路部７２から出力される受信強度に比例した信号出力の入力によって、予め定められた対応関係に基づき、５個の発光表示素子５０−１〜５０−５が全て点灯した最良好の受信状態に対して、１個の発光表示素子５０−５のみが点灯しない略良好の受信状態であることを示している。
【００３１】
また、ＣＰＵ８０は、インタフェース回路７１を介して入力される受信方向検出用アンテナ２２ａ〜２２ｄによる受信出力に基づき、方向別状況判定表示装置４０を、図４に示すフローチャートにしたがって、表示制御する。
【００３２】
図４は、方向別状況判定表示装置の表示制御を示すフローチャートである。
図４において、ＣＰＵ８０は、初期処理として、図示せぬ付設されたメモリの最大レベル方向記憶エリアＲｐｒｖ，及びカウンタＣｏｕｎｔをリセットする（ステップＳ１）。
【００３３】
次に、Ａ方向に対応する受信方向検出用アンテナ２２ａの受信出力の値を、インタフェース回路７１を介して読み込み（ステップＳ２）、図示せぬ付設されたメモリに設けられたＡ方向レベル記憶エリアＲａに書き込み保存する。
【００３４】
同様にして、Ｂ方向に対応する受信方向検出用アンテナ２２ｂの受信出力の値、Ｃ方向に対応する受信方向検出用アンテナ２２ｃの受信出力の値、及びＤ方向に対応する受信方向検出用アンテナ２２ｄの受信出力の値を、インタフェース回路７１を介して順次読み込み、Ｂ方向レベル記憶エリアＲｂ、Ｃ方向レベル記憶エリアＲｃ、及びＤレベル記憶エリアＲｄに書き込み保存する（ステップＳ５〜Ｓ９）。
【００３５】
その上で、ＣＰＵ８０は、Ａ方向レベル記憶エリアＲａ、Ｂ方向レベル記憶エリアＲｂ、Ｃ方向レベル記憶エリアＲｃ、及びＤ方向レベル記憶エリアＲｄにそれぞれ書き込み保存されている受信出力の値を比較し、その中で最大値が記憶されている最大レベル記憶エリアＲｍａｘを求める（ステップＳ１０）。
【００３６】
そして、ＣＰＵ８０は、最大レベル記憶エリアＲｍａｘに対応する方向が、最大レベル方向記憶エリアＲｐｒｖの保存方向データと一致するか否かを判定し（ステップＳ１１）、一致する場合は、カウンタＣｏｕｎｔの値をインクリメントする一方（ステップＳ１２）、一致しない場合は、カウンタＣｏｕｎｔの値をゼロリセットし（ステップＳ１３）、最大レベル方向記憶エリアＲｐｒｖの保存方向データを、最大レベル記憶エリアＲｍａｘに対応する方向データに書き換え保存し直す（ステップＳ１４）。
これら処理の上、ＣＰＵ８０は、カウンタＣｏｕｎｔの値が判定結果安定化のために予め定められた確認回数Ｎ（例えば１０回）を越えているか否かを判定する（ステップＳ１５）。
【００３７】
ＣＰＵ８０は、カウンタＣｏｕｎｔの値がこの確認回数Ｎを越えている場合は、最大レベル記憶エリアＲｍａｘに対応する方向データに対応する方向別状況判定表示器４０ａ〜４０ｄの中のいずれか一のみを、そのレベル記憶エリアＲに保存されている受信出力の値に基づいて点灯制御し、その余を点灯させない（ステップＳ１６）。
なお、ＣＰＵ８０は、最大レベル方向記憶エリアＲｐｒｖに初期値０が設定されている場合には、全ての方向別状況判定表示器４０ａ〜４０ｄを点灯させない。
【００３８】
本実施の形態の無線インターネット受信装置１は以上説明したように構成されるが、その作用について図５により説明する。
図５は、無線方向と無線インターネット受信装置のアンテナ及び方向別状況判定表示装置の関係を示した図である。
【００３９】
図５においては、無線信号の方向が同図中上方から下方への矢印ｘ方向が最も良く受信され、同図中左方から右方への矢印ｙ方向でも若干良好に受信される場合であるものとして説明する。
なお、図５において、矢印の長さが受信の良好さを示す。
【００４０】
図５（ａ）に示す無線インターネット受信装置１の載置状態では、無線信号のｘ方向と、受信方向検出用アンテナ２２ｄの受信方向Ｄとが一致し、無線信号のｙ方向と、受信方向検出用アンテナ２２ａの受信方向Ａとが一致する。この場合は、受信方向Ｄ、Ａに対応する受信方向検出用アンテナ２２ｄ，２２ａに接続されている無線照準方向表示器３０の発光表示素子３０ａ，３０ｄが点灯する。
【００４１】
また、受信方向検出用アンテナ２２ｄの受信出力の値は受信方向検出用アンテナ２２ａの受信出力の値よりも大きくなり、最大レベル方向記憶エリアＲｐｒｖには受信方向検出用アンテナ２２ｄによる受信方向Ｄが記憶されることになるため、方向別状況判定表示装置４０は、方向別状況判定表示器４０ｄが点灯する。
【００４２】
しかしながら、情報受信用アンテナ２１の受信出力に基づく無線状況表示器５０の表示は、情報受信用アンテナ２１の受信方向Ｂが、無線信号のｘ方向及びｙ方向のいずれに対してずれているので、無線状況表示器５０には発光表示素子５０−１〜５０−５による低いレベルが表示される。
【００４３】
この結果、これら無線照準方向表示器３０、方向別状況判定表示装置４０、無線状況表示器５０の表示により、使用者は、無線インターネット受信装置１の無線照準が無線信号の方向に対してずれていることが理解できる。
【００４４】
図５（ａ）に示す無線インターネット受信装置１の載置状態から図５（ｂ）に示す載置状態に時計回りに回動変化させた場合は、無線信号のｘ方向と、受信方向検出用アンテナ２２ｄの受信方向Ｄとがずれ、無線信号のｙ方向と、受信方向検出用アンテナ２２ａの受信方向Ａとがずれるようになる。
【００４５】
この場合は、受信方向検出用アンテナ２２ｄの受信出力の値が無線信号のｘ方向からずれて減少傾向になるのに対し、受信方向検出用アンテナ２２ａの受信出力の値は、無線信号のｙ方向からずれるものの、ｙ方向よりも良好な無線信号のｘ方向側に向き出すため増加傾向になる。そのため、受信方向検出用アンテナ２２ｄに対応する方向別状況判定表示器４０ｄの発光表示素子４０ｄ１〜４０ｄ４の点灯数又は点灯位置は、減少又は減少位置に変化するようになり、受信方向検出用アンテナ２２ａの方向別状況判定表示器４０ａの発光表示素子４０ａ１〜４０ａ４の点灯数又は点灯位置は、増加又は増加位置に変化するようになる。
【００４６】
そして、従前の図５（ａ）に示す状態で点灯していた方向別状況判定表示装置４０の方向別状況判定表示器４０ｄは、受信方向検出用アンテナ２２ｄの受信出力の値が受信方向検出用アンテナ２２ａの受信出力よりも小さくなると消灯し、代わりに方向別状況判定表示器４０ａが点灯しだす。
【００４７】
そして、図５（ｂ）に示す、方向別状況判定表示器４０ｄに変わって方向別状況判定表示器４０ａに点灯が切り換わった状態にあっても、方向別状況判定表示装置４０の方向別状況判定表示器４０ｄの発光表示素子４０ｄ１〜４０ｄ４の点灯数又は点灯位置と、方向別状況判定表示器４０ａの発光表示素子４０ａ１〜４０ａ４の点灯数又は点灯位置との差は、僅かであり、両者とも、受信出力の値が大きな値を表示するものではない。また、情報受信用アンテナ２１の受信出力に基づく無線状況表示器５０の発光表示素子５０−１〜５０−５による表示も、良好な受信状態を示さない。
【００４８】
さらに、  図５（ｂ）に示す無線インターネット受信装置１の載置状態から図５（ｃ）に示す載置状態に時計回りに回動変化させた場合は、無線信号のｘ方向と、受信方向検出用アンテナ３２ａの受信方向Ａとが一致し、無線信号のｙ方向と、受信方向検出用アンテナ３２ｂ及び情報受信用アンテナ２１の受信方向Ｂとが一致するようになる。
この図５（ｃ）に示す載置状態においては、受信方向Ａ、Ｂに対応する受信方向検出用アンテナ２２ａ，２２ｂに接続されている無線照準方向表示器３０の発光表示素子３０ａ，３０ｂが点灯する。
【００４９】
そして、情報受信用アンテナ２１の受信方向Ｂは、無線信号のｙ方向に一致するようになるので、無線状況表示器５０の発光表示素子５０−１〜５０−５による表示は、ほぼ良好な受信状態を示す。
【００５０】
しかしながら、方向別状況判定表示装置４０の表示は、ｘ方向の無線信号とｙ方向の無線信号との関係から、方向別状況判定表示器４０ａの発光表示素子４０ａ１〜４０ａ４に最大レベルにはならない。
したがって、使用者は、このようにして、無線照準方向表示器３０の点灯している発光表示素子３０ｚ（ただし、３０ｚは３０ａ〜３０ｄのいずれか一又は複数）が示す方向と、方向別状況判定表示装置４０の方向別状況判定表示器４０ａ〜４０ｄのいずれかが示す電波の受信状態とを指標にしながら、無線状況表示器５０の発光表示素子５０−１〜５０−５が示す受信状態が最良になるようにして、無線インターネット受信装置１の載置状態を調整することができる。
【００５１】
このように、本実施の形態の無線インターネット受信装置１によれば、無線感度が悪い状況にあっても、無線照準方向表示器３０が示す各方向の無線状況、方向別状況判定表示装置４０が示す機器の選択した照準方向、及び無線状況表示器５０が示す無線総合判定指数をもとに、自身で受信状態及び受信環境の改善を図ることができる。
【００５２】
なお、本実施の形態では、アンテナ２０と、無線照準方向表示器３０、方向別状況判定表示装置４０とを一体的にアンテナ組立体１１として構成し、無線状況表示器５０を受信装置本体１０に設け、各表示器及び表示装置は、ＬＥＤ等の発光表示素子により構成したが、これら無線照準方向表示器３０、方向別状況判定表示装置４０、及び無線状況表示器５０の具体的な構成はこれに限るものではない。例えば、複数の発光表示素子の点灯数による表示は、複数の発光表示素子の点灯位置や発光色の違いによって表示するように構成してもよい。また、受信装置本体１０に液晶表示素子を設け、これら無線照準方向表示器３０、方向別状況判定表示装置４０、及び無線状況表示器５０をこの液晶表示画面上に表示する構成としてもよい。
【００５３】
また、上記実施の形態では、無線インターネット受信装置１は、受信装置本体１０の向きと、情報受信用アンテナ２１の指向方向とは相対変化しない構成であるが、情報受信用アンテナ２１を受信装置本体１０に対して回動可能とし、受信装置本体１０の向きは変えずとも情報受信用アンテナ２１の向きだけ回動可能なものであってもよい。
【００５４】
次に、本発明の別の実施の形態からなる無線装置について説明する。
なお、その説明に当たって、上述した実施の形態と同じ構成部分については、同一符号を付し、その説明を省略する。
【００５５】
図６は、本発明の別の実施の形態に係る無線装置としての無線インターネット受信装置の構成図である。
本実施の形態の無線インターネット受信装置１０１は、回路基板等が収納された直方体形状の受信装置本体１１０を備えている。
【００５６】
アンテナ２０は、アンテナ組立体としてではなく、受信装置本体１１０に一体的に設けられている。
アンテナ２０を構成する受信方向検出用アンテナ２２は、図７に示すように、４本の受信方向検出用アンテナ２２ａ〜２２ｄそれぞれを、受信装置本体１１０の周面を構成する４つの面１１０ａ，１１０ｂ，１１０ｃ，１１０ｄとそれぞれの受信方向とが直交するようにして、受信装置本体１１０内に収容されている。
【００５７】
また、情報受信アンテナ２１は、本実施の形態では指向性アンテナによって構成され、受信方向検出用アンテナ２２ａ〜２２ｄの中の一のアンテナと受信方向を同じくして、受信装置本体１１０内に収容されており、受信装置本体１１０の上面には、情報受信アンテナ２１の受信方向を示した方向指標表記２３が設けられている。なお、本実施の形態では、情報受信アンテナ２１の受信方向は、図中に示す受信装置本体１１０のＤ方向になっており、無線信号の方向が同図中上方から下方への矢印ｘ方向になっているものとする。
【００５８】
図７は、本実施の形態の無線インターネット受信装置の受信方向検出用のアンテナと受信装置本体との関係説明図である。
そして、本実施の形態の無線インターネット受信装置１０１では、図３に示した前述の実施の形態の無線インターネット受信装置１の受信回路において、無線照準方向表示器３０、方向別状況判定表示器４０、及び無線状況表示器５０に代えて、音源部としての鳴動回路、音響出力部としてのスピーカが、ＣＰＵ８０にその作動が制御されて設けられている。
【００５９】
そして、本実施の形態の無線インターネット受信装置１０１によれば、受信装置本体１１０に設けられている方向指標表記２３の向きが、無線信号のｘ方向と一致するように受信装置本体１１０が載置された場合に、ＣＰＵ８０により、鳴動回路が作動され、スピーカより音響報知される構成となっている。
【００６０】
図８は、本実施の形態の無線インターネット受信装置の動作説明図である。
図８においては、図８（ａ）に示す、方向指標表記２３の向きと無線信号のｘ方向とが一致した状態において、ＣＰＵ８０は、これを判別し、鳴動回路を作動させ、スピーカより音響報知を行い、使用者に受信装置本体１１０の載置された向きが適切であることを報知する。なお、この報知は、方向指標表記２３の向きと無線信号のｘ方向とが一致している状態において、継続的又は断続的に報知し続ける構成であってもよいし、受信装置本体１１０が移動載置されたときに所定時間だけ報知するように構成してもよい。
【００６１】
これに対し、図８（ｂ）に示す状態においては、方向指標表記２３の向きと無線信号のｘ方向とが一致せず、この場合は、ＣＰＵ８０は、鳴動回路を作動させてスピーカより音響報知を行わない。
また、上記実施の形態において、受信装置本体１１０の平面形状等により、方向指標表記２３の向きを受信装置本体１１０の形状から特定できる場合は、受信装置本体１１０に設けた方向指標表記２３を省略することもできる。
【００６２】
図９は、方向指標表記を省略した実施の形態の無線インターネット受信装置の動作説明図である。
図９において、図９（ａ）〜（ｃ）のそれぞれ上段は、受信装置本体２１０，３１０，４１０の方向指標と、無線信号の向きｘとが一致し、音響報知が行われる場合を示し、図９（ａ）〜（ｃ）のそれぞれ下段は、受信装置本体２１０，３１０，４１０の方向指標と、無線信号の向きｘとが一致せず、音響報知が行われない場合の無線インターネット受信装置２０１，３０１，４０１を示したものである。
【００６３】
次に、本発明のさらに別の実施の形態からなる無線装置について説明する。
なお、その説明に当たって、上述した実施の形態と同じ構成部分については、同一符号を付し、その説明を省略する。
【００６４】
図１０は、本発明のさらに別の実施の形態に係る無線装置としての無線インターネット受信装置の構成図である。
本実施の形態の無線インターネット受信装置５０１では、受信装置本体５１０に設けられた液晶表示器等からなる情報表示器６０の画面上に、図１０に示すような受信装置本体５１０の平面形状表示（方向指標表示）５１１と、無線照準方向表示５１２とが表示され、図示せぬスピーカからは、受信装置本体５１０の方向指標と、無線信号の向きとが一致する場合には、音響報知が行われる構成になっている。
【００６５】
本実施の形態の無線インターネット受信装置５０１によれば、表示と音響報知との組み合わせにより、無線感度が悪い状況にあっても、情報表示器６０上に方向指標表示５１１によって示される方向指標、無線照準方向表示５１２によって示される各方向の無線状況と、スピーカからの無線総合判定をもとに、自身で受信状態及び受信環境の改善を図ることができる。
なお、本発明は上記実施の形態に限定されるものではなく、勿論、無線インターネット受信装置だけではなく、携帯電話等の他の無線装置にも適用し得る。
【００６６】
【発明の効果】
以上のように、本発明によれば、使用者に無線状況と機器のとった照準方向を認識させ、次の効果を奏する。
無線感度が悪い場合、機器の示す３つの指標、すなわち▲１▼各方向の無線状況、▲２▼機器の選択した照準方向、▲３▼無線総合判定指数をもとに、自身で、受信状況の改善を図れる。
【００６７】
また、この結果、キャリア等へのサービスコールの低減をはかれる。
さらに、常に使用者に機器の照準方向を認識させ、屋内でその方角に無線の障害となるような機器や金属を置かないようにさせ、無線受信環境を整えることができる。
【図面の簡単な説明】
【図１】本発明の一実施の形態に係る無線インターネット受信装置の構成図である。
【図２】無線インターネット受信装置の受信方向検出用のアンテナと無線照準方向表示器との関係説明図である。
【図３】本実施の形態の無線インターネット受信装置の受信回路である。
【図４】方向別状況判定表示装置の表示制御を示すフローチャートである。
【図５】無線方向と無線インターネット受信装置のアンテナ及び方向別状況判定表示装置の関係を示した図である。
【図６】本発明の別の実施の形態に係る無線装置としての無線インターネット受信装置の構成図である。
【図７】図６に示した別の実施の形態の無線インターネット受信装置の受信方向検出用のアンテナと受信装置本体との関係説明図である。
【図８】図６に示した別の実施の形態の無線インターネット受信装置の動作説明図である。
【図９】方向指標表記を省略した実施の形態の無線インターネット受信装置の動作説明図である。
【図１０】本発明のさらに別の実施の形態に係る無線装置としての無線インターネット受信装置の構成図である。
【符号の説明】
１  無線インターネット受信装置
１０  受信装置本体
１１  アンテナ部組立体
２０  アンテナ
２１  情報受信用アンテナ
２２ａ〜２２ｄ  受信方向検出用アンテナ
２３  方向指標表記
３０  無線照準方向表示器
４０  方向別状況判定表示装置
４０ａ〜４０ｄ  方向別状況判定表示器
４１ａ〜４１ｄ  ＬＥＤ
５０  無線状況表示器
６０  情報表示器
７１  インタフェース回路
７２  ＲＦ回路部
８０  ＣＰＵ
１０１，２０１，３０１，４０１，５０１  無線インターネット受信装置
１１０，２１０，３１０，４１０，５１０  受信装置本体
【図１】
2004156924.tif 000003
【図２】
2004156924.tif 000004
【図３】
2004156924.tif 000005
【図４】
2004156924.tif 000006
【図５】
2004156924.tif 000007
【図６】
2004156924.tif 000008
【図７】
2004156924.tif 000009
【図８】
2004156924.tif 000010
【図９】
2004156924.tif 000011
【図１０】
2004156924.tif 000012